【手続補正書】
【提出日】平成28年6月1日(2016.6.1)
【手続補正１】
【補正対象書類名】特許請求の範囲
【補正対象項目名】全文
【補正方法】変更
【補正の内容】
【特許請求の範囲】
【請求項１】
複数の分割モータ相巻線と、
上記複数の分割モータ相巻線の中点に接続された直流（ＤＣ）電源と、
上記ＤＣ電源から絶縁されかつ上記複数の分割モータ相巻線の中点に接続された少なくとも１つの電源スイッチを含む電源スイッチ回路と、
サイクルの第１の部分において上記少なくとも１つの電源スイッチがオンして導通状態であるときに上記ＤＣ電源が破壊することを防止するための第１の非破壊ＤＣ電源素子と、
上記サイクルの第２の部分において上記少なくとも１つの電源スイッチがオンして導通状態であるときに上記ＤＣ電源が破壊することを防止するための第２の非破壊ＤＣ電源素子とを備える回路。
【請求項２】
上記少なくとも１つの非破壊ＤＣ電源素子は、
上記ＤＣ電源に電気的に接続された上記複数の分割モータ相巻線からのタップと、
上記ＤＣ電源に接続されて上記ＤＣ電源に電源を供給する二次相コイル巻線と、
上記複数の分割モータ相巻線と上記電源スイッチ回路との間に接続された１つ以上の抵抗と、
上記複数の分割モータ相巻線と上記電源スイッチ回路との間に接続された１つ以上のツェナーダイオードとからなるグループのうちの少なくとも１つの部材を備える請求項１に記載その回路。
【請求項３】
上記少なくとも１つの非破壊ＤＣ電源素子は、上記複数の分割モータ相巻線と上記電源スイッチ回路との間の電圧降下を生成するための電気素子を備え、上記電源スイッチ回路の少なくとも１つの電源スイッチがオンして導通状態であるときに上記ＤＣ電源が破壊することを防止する請求項１に記載の回路。
【請求項４】
モータのための回路であって、
少なくとも概ね半分に分割された複数の分割モータ相巻線と、
上記分割モータ相巻線の少なくとも概ね中間点に接続され、上記分割モータ相巻線から転送された交流（ＡＣ）電力を受電し、ＡＣ電力を直流（ＤＣ）電源に変換するＤＣ電源と、
上記分割モータ相巻線と上記ＤＣ電源との間の電流経路の外側に設けられ、上記分割モータ相巻線の少なくとも概ね中間点に接続された少なくとも１つの電源スイッチを備え、上記分割モータ相巻線からのＡＣ電力を受電する電源スイッチ回路と、
上記ＤＣ電源に接続された第１の非破壊ＤＣ電源素子であって、サイクルの第１の部分において上記少なくとも１つの電源スイッチがオンして導通状態であるときに上記ＤＣ電源が破壊することを防止する第１の非破壊ＤＣ電源素子と、
上記ＤＣ電源に接続された第２の非破壊ＤＣ電源素子であって、上記サイクルの第２の部分において上記少なくとも１つの電源スイッチがオンして導通状態であるときに上記ＤＣ電源が破壊することを防止する第２の非破壊ＤＣ電源素子とを備える回路。
【請求項５】
上記各非破壊ＤＣ電源素子は、
上記分割モータ相巻線と上記電源スイッチ回路との間の１つ以上の抵抗と、
上記分割モータ相巻線と上記電源スイッチ回路との間の１つ以上のツェナーダイオードとからなるグループのうちの少なくとも１つの部材を備える請求項４に記載の回路。
【請求項６】
上記各非破壊ＤＣ電源素子は、上記ＤＣ電源に電気的に接続された上記分割モータ相巻線からのタップであって、上記ＡＣ電源を上記ＤＣ電源に供給し、上記電源スイッチ回路をバイパスするタップを備える請求項４に記載の回路。
【請求項７】
上記各非破壊ＤＣ電源素子は、上記分割モータ相巻線に関連して巻回されかつ上記ＤＣ電源に電気的に接続された二次相コイル巻線であって、上記ＡＣ電源を上記ＤＣ電源に供給し、上記電源スイッチ回路をバイパスする二次相コイル巻線を備える請求項４に記載の回路。
【請求項８】
上記分割モータ相巻線は、第１の分割モータ相巻線と、第２の分割モータ相巻線とを備え、
上記第２の分割モータ相巻線は上記第１の分割モータ相巻線及び第２の分割モータ相巻線の間に均等に分配され、もしくは、上記第２の分割モータ相巻線は上記第１の分割モータ相巻線及び第２の分割モータ相巻線の間に不均等に分配される請求項７に記載の回路。
【請求項９】
上記分割モータ相巻線は、第１の分割モータ相巻線及び第２の分割モータ相巻線を備え、
上記二次相コイル巻線はすべて上記モータの固定子の１つの極上に分配され、もしくは、上記モータの固定子の１つを超える極上に分配される請求項７に記載の回路。
【請求項１０】
上記各非破壊ＤＣ電源素子は、上記分割モータ相巻線及び上記電源スイッチ回路との間の電圧降下を形成して、上記電源スイッチ回路の少なくとも１つの電源スイッチがオンして導通状態であるときに上記ＤＣ電源が破壊されることを防止する電気素子を備える請求項４に記載の回路。
【請求項１１】
上記電源スイッチ回路は、少なくとも１つの電源スイッチと並列に接続された少なくとも１つのツェナーダイオードを備え、
上記少なくとも１つの電源スイッチがオンオフしているときに電流が上記少なくとも１つのツェナーダイオードを流れる請求項４に記載の回路。
【請求項１２】
上記電源スイッチ回路は、少なくとも１つの電源スイッチと並列に接続された電圧レギュレータを備え、
上記少なくとも１つの電源スイッチはオンオフしているときに電流が電圧レギュレータを流れる請求項４に記載の回路。
【請求項１３】
上記電源スイッチ回路は、上記少なくとも１つの電源スイッチに動作可能に接続され、負電圧が上記少なくとも１つの電源スイッチのドレインに供給されることを停止し、かつ正電圧が上記少なくとも１つの電源スイッチのソースに供給されることを停止する全波ブリッジ整流器を備え、
これにより、上記少なくとも１つの電源スイッチが上記少なくとも１つの電源スイッチのゲートの正電圧によってバイアスされるときに、電流が上記少なくとも１つの電源スイッチのドレインからソースに流れる請求項４に記載の回路。
【請求項１４】
上記分割モータ相巻線は半分に分割され、
上記電源スイッチ回路及び上記各非破壊ＤＣ電源素子は上記複数の分割モータ相巻線の間の少なくとも概ね中間点に位置する請求項４に記載の回路。
【請求項１５】
上記ＤＣ電源は、上記複数の分割モータ相巻線の間の少なくとも概ね中間点に位置する請求項１４に記載の回路。
【請求項１６】
上記ＤＣ電源は、上記複数の分割モータ相巻線のうちの一つの分割モータ相巻線の開始側と、上記複数のモータ相巻線のうちのもう１つのモータ相巻線の終了側とに接続される請求項４に記載の回路。
【請求項１７】
上記電源スイッチ回路を制御する制御回路をさらに備える請求項４に記載の回路。
【請求項１８】
上記制御回路は、上記モータが同期速度であるときに上記制御回路を遮断する論理制御遮断回路を備える請求項１７に記載の回路。
【請求項１９】
上記ＤＣ電源は上記分割モータ相巻線に動作可能に接続され、
上記制御回路は上記ＤＣ電源に動作可能に接続され、
上記電源スイッチ回路はモータコントローラに動作可能に接続される請求項１７に記載の回路。
【請求項２０】
上記モータは回転子と固定子とを備え、
上記分割モータ相巻線はＡＣライン電圧を受電し、
上記回路は、上記回転子が所定の識別された回転子位置、回転子の磁石の極性、又はＡＣライン電圧に対する速度であるときに上記電源スイッチ回路をオフにする制御回路を備える請求項４に記載の回路。
【請求項２１】
ＡＣライン電圧の周波数を検出するＡＣバッファと、
上記回転子の回転子位置を検出する検出デバイスと、
上記ＡＣバッファの出力を上記検出デバイスの出力と比較して、比較出力に基づいて上記電源スイッチ回路を制御する論理回路とをさらに備える請求項２０の回路。
【請求項２２】
上記比較出力が同一の論理レベルにあるとき、上記論理回路は上記少なくとも１つの電源スイッチをバイアスする請求項２１に記載の回路。
【請求項２３】
上記少なくとも１つの電源スイッチは第１の電源スイッチ及び第２の電源スイッチを備え、
ＡＣサイクルの１つの半分のときに、上記第１の電源スイッチはオンされて導通状態にある一方、上記第２の電源スイッチはオフされて非導通状態にあり、
上記ＡＣサイクルのもう１つの半分のときに、上記第２の電源スイッチはオンされて導通状態にある一方、上記第１の電源スイッチはオフされて非導通状態にある請求項４に記載の回路。
【請求項２４】
上記少なくとも１つの電源スイッチは、１つの電源スイッチと、直列に接続された２つの電源スイッチと、並列に接続された２つの電源スイッチとのうちの少なくとも１つを備える請求項４に記載の回路。
【請求項２５】
上記少なくとも１つの電源スイッチは、１つ以上の金属酸化物半導体電界効果トランジスタ（ＭＯＳＦＥＴ）と、１つ以上のシリコン制御整流器（ＳＣＲ）と、１つ以上のトランジスタとのうちの少なくとも１つを備える請求項４に記載の回路。
【請求項２６】
上記モータをさらに備え、
上記モータは、ＤＣブラシレスモータと、電子整流モータ、くま取り極モータと、永久スプリットキャパシタモータとのうちの少なくとも１つから選択される請求項４に記載の回路。
【請求項２７】
上記モータをさらに備え、
上記モータは、同期速度で、同期測度未満で、及び同期測度を超えて動作可能である請求項４に記載の回路。
【請求項２８】
上記分割モータ相巻線はＡＣライン電圧に接続される請求項４に記載の回路。
【請求項２９】
上記第１の非破壊ＤＣ電源素子は前記ＤＣ電源に直接に又は間接的に接続され、
上記第２の非破壊ＤＣ電源素子は前記ＤＣ電源に直接に又は間接的に接続される請求項４に記載の回路。
【請求項３０】
モータのためのシステムであって、
少なくとも概ね半分に分割され、交流（ＡＣ）電力を受電する複数の分割モータ相巻線と、
上記分割モータ相巻線の少なくとも概ね中間点に接続され、上記分割モータ相巻線から転送された交流（ＡＣ）電力を受電し、ＡＣ電力を直流（ＤＣ）電源に変換するＤＣ電源と、
上記分割モータ相巻線と上記ＤＣ電源との間の電流経路の外側に設けられ、上記分割モータ相巻線の概ね少なくとも中間点に接続された少なくとも１つの電源スイッチを備え、上記分割モータ相巻線からのＡＣ電力を受電する電源スイッチ回路と、
上記分割モータ相巻線と上記ＤＣ電源との間の電流経路の外側に設けられ、上記分割モータ相巻線の少なくとも概ね中間点に接続された少なくとも１つの電源スイッチを備える電源スイッチ回路と、
上記分割モータ相巻線の少なくとも概ね中間点に接続され、上記ＤＣ電源からＤＣ電力を受電して上記電源スイッチを制御するモータコントローラと、
上記ＤＣ電源に接続された複数の非破壊ＤＣ電源素子であって、サイクルの第１の部分及び上記サイクルの第２の部分において上記少なくとも１つの電源スイッチがオンして導通状態であるときに上記ＤＣ電源が破壊することを防止する複数の非破壊ＤＣ電源素子とを備えるシステム。
【請求項３１】
上記ＤＣ電源は上記分割モータ相巻線に動作可能に接続され、
上記モータコントローラは上記ＤＣ電源に動作可能に接続され、かつ
上記電源スイッチ回路は上記モータコントローラに動作可能に接続される請求項３０に記載のシステム。
【請求項３２】
上記各非破壊ＤＣ電源素子は前記ＤＣ電源に直接に又は間接的に接続される請求項３０に記載のシステム。
【請求項３３】
モータの回路のための方法であって、
少なくとも概ね半分に分割された複数の分割モータ相巻線を提供することと、
上記分割モータ相巻線の少なくとも概ね中間点に接続され、上記分割モータ相巻線から転送された交流（ＡＣ）電力を受電し、ＡＣ電力を直流（ＤＣ）電源に変換するＤＣ電源を提供することと、
上記分割モータ相巻線と上記ＤＣ電源との間の電流経路の外側に設けられ、上記分割モータ相巻線の少なくとも概ね中間点に接続された少なくとも１つの電源スイッチを備え、上記分割モータ相巻線からのＡＣ電力を受電する電源スイッチ回路を提供することと、
上記ＤＣ電源に接続された第１の非破壊ＤＣ電源素子であって、サイクルの第１の部分において上記少なくとも１つの電源スイッチがオンして導通状態であるときに上記ＤＣ電源が破壊することを防止する第１の非破壊ＤＣ電源素子と、上記ＤＣ電源に接続された第２の非破壊ＤＣ電源素子であって、上記サイクルの第２の部分において上記少なくとも１つの電源スイッチがオンして導通状態であるときに上記ＤＣ電源が破壊することを防止する第２の非破壊ＤＣ電源素子とを提供することとを備える方法。
【請求項３４】
上記各非破壊ＤＣ電源素子のために、
上記分割モータ相巻線と上記電源スイッチ回路との間の１つ以上の抵抗と、
上記分割モータ相巻線と上記電源スイッチ回路との間の１つ以上のツェナーダイオードとからなるグループのうちの少なくとも１つの部材を提供することをさらに備える請求項３３に記載の方法。
【請求項３５】
上記各非破壊ＤＣ電源素子のために、上記ＤＣ電源に電気的に接続された上記分割モータ相巻線からのタップであって、上記ＡＣ電源を上記ＤＣ電源に供給し、上記電源スイッチ回路をバイパスするタップを提供することをさらに備える請求項３３に記載の方法。
【請求項３６】
上記各非破壊ＤＣ電源素子のために、上記分割モータ相巻線に関係して巻回されかつ上記ＤＣ電源に電気的に接続された二次相コイル巻線であって、上記ＡＣ電源を上記ＤＣ電源に供給し、上記電源スイッチ回路をバイパスする二次相コイル巻線をさらに備える請求項３３に記載の方法。
【請求項３７】
上記分割モータ相巻線のために、第１の分割モータ相巻線と、第２の分割モータ相巻線とを提供することをさらに備え、
上記第２の分割モータ相巻線は上記第１の分割モータ相巻線及び第２の分割モータ相巻線の間に均等に分配され、もしくは、上記第２の分割モータ相巻線は上記第１の分割モータ相巻線及び第２の分割モータ相巻線の間に不均等に分配される請求項３６に記載の方法。
【請求項３８】
上記分割モータ相巻線のために、第１の分割モータ相巻線及び第２の分割モータ相巻線を提供することをさらに備え、
上記二次相コイル巻線はすべて上記モータの固定子の１つの極上に分配され、もしくは、上記モータの固定子の１つを超える極上に分配される請求項３６に記載の方法。
【請求項３９】
上記各非破壊ＤＣ電源素子のために、上記分割モータ相巻線及び上記電源スイッチ回路との間の電圧降下を形成して、上記電源スイッチ回路の少なくとも１つの電源スイッチがオンして導通状態であるときに上記ＤＣ電源が破壊されることを防止する電気素子を提供することをさらに備える請求項３３に記載の方法。
【請求項４０】
上記電源スイッチ回路のために、少なくとも１つの電源スイッチと並列に接続された少なくとも１つのツェナーダイオードを提供することをさらに備え、
上記少なくとも１つの電源スイッチがオンオフしているときに電流が上記少なくとも１つのツェナーダイオードを流れる請求項３３に記載の方法。
【請求項４１】
上記電源スイッチ回路のために、少なくとも１つの電源スイッチと並列に接続された電圧レギュレータを提供することをさらに備え、
上記少なくとも１つの電源スイッチはオンオフしているときに電流が電圧レギュレータを流れる請求項３３に記載の方法。
【請求項４２】
上記電源スイッチ回路のために、上記少なくとも１つの電源スイッチに動作可能に接続され、負電圧が上記少なくとも１つの電源スイッチのドレインに供給されることを停止し、かつ正電圧が上記少なくとも１つの電源スイッチのソースに供給されることを停止する全波ブリッジ整流器を提供することをさらに備え、
これにより、上記少なくとも１つの電源スイッチが上記少なくとも１つの電源スイッチのゲートの正電圧によってバイアスされるときに、電流が上記少なくとも１つの電源スイッチのドレインからソースに流れる請求項３３に記載の方法。
【請求項４３】
半分に分割された分割モータ相巻線を提供することをさらに備え、
上記電源スイッチ回路及び上記各非破壊ＤＣ電源素子は上記複数の分割モータ相巻線の間の少なくとも概ね中間点に位置する請求項３３に記載の方法。
【請求項４４】
上記ＤＣ電源を、上記複数の分割モータ相巻線の間の少なくとも概ね中間点に位置させることをさらに備える請求項４３に記載の方法。
【請求項４５】
上記複数の分割モータ相巻線のうちの一つの分割モータ相巻線の開始側と、上記複数の分割モータ相巻線のうちのもう１つのモータ相巻線の終了側とに接続されるＤＣ電源を提供することをさらに備える請求項３３に記載の方法。
【請求項４６】
上記電源スイッチ回路を制御する制御回路を提供することをさらに備える請求項３３に記載の方法。
【請求項４７】
上記制御回路のために、上記モータが同期速度であるときに上記制御回路を遮断する論理制御遮断回路を提供することをさらに備える請求項４６に記載の方法。
【請求項４８】
上記ＤＣ電源は上記分割モータ相巻線に動作可能に接続され、
上記制御回路は上記ＤＣ電源に動作可能に接続され、
上記電源スイッチ回路はモータコントローラに動作可能に接続される請求項４６に記載の方法。
【請求項４９】
上記モータは回転子と固定子とを備え、
上記分割モータ相巻線はＡＣライン電圧を受電し、
上記回路のために、上記回転子が所定の識別された回転子位置、回転子の磁石の極性、又はＡＣライン電圧に対する速度であるときに上記電源スイッチ回路をオフにする制御回路を提供することをさらに備える請求項３３に記載の方法。
【請求項５０】
ＡＣライン電圧の周波数を検出するＡＣバッファと、
上記回転子の回転子位置を検出する検出デバイスと、
上記ＡＣバッファの出力を上記検出デバイスの出力と比較して、比較出力に基づいて上記電源スイッチ回路を制御する論理回路とを提供することをさらに備える請求項４９の方法。
【請求項５１】
上記比較出力が同一の論理レベルにあるとき、上記論理回路は上記少なくとも１つの電源スイッチをバイアスする請求項５０に記載の方法。
【請求項５２】
上記少なくとも１つの電源スイッチのために、第１の電源スイッチ及び第２の電源スイッチを提供することをさらに備え、
ＡＣサイクルの１つの半分のときに、上記第１の電源スイッチはオンされて導通状態にある一方、上記第２の電源スイッチはオフされて非導通状態にあり、
上記ＡＣサイクルのもう１つの半分のときに、上記第２の電源スイッチはオンされて導通状態にある一方、上記第１の電源スイッチはオフされて非導通状態にある請求項３３に記載の方法。
【請求項５３】
上記少なくとも１つの電源スイッチのために、１つの電源スイッチと、直列に接続された２つの電源スイッチと、並列に接続された２つの電源スイッチとのうちの少なくとも１つを提供することをさらに備える請求項３３に記載の方法。
【請求項５４】
上記少なくとも１つの電源スイッチのために、１つ以上の金属酸化物半導体電界効果トランジスタ（ＭＯＳＦＥＴ）と、１つ以上のシリコン制御整流器（ＳＣＲ）と、１つ以上のトランジスタとのうちの少なくとも１つを提供することをさらに備える請求項３３に記載の方法。
【請求項５５】
上記モータを提供することをさらに備え、
上記モータは、ＤＣブラシレスモータと、電子整流モータ、くま取り極モータと、永久スプリットキャパシタモータとのうちの少なくとも１つから選択される請求項３３に記載の方法。
【請求項５６】
上記モータを提供することをさらに備え、
上記モータは、同期速度で、同期測度未満で、及び同期測度を超えて動作可能である請求項３３に記載の方法。
【請求項５７】
上記分割モータ相巻線はＡＣライン電圧に接続される請求項３３に記載の方法。
【請求項５８】
上記第１の非破壊ＤＣ電源素子は前記ＤＣ電源に直接に又は間接的に接続され、
上記第２の非破壊ＤＣ電源素子は前記ＤＣ電源に直接に又は間接的に接続される請求項３３に記載の方法。
【請求項５９】
モータの回路のための方法であって、
少なくとも概ね半分に分割され、交流（ＡＣ）電力を受電する複数の分割モータ相巻線を提供することと、
上記分割モータ相巻線の少なくとも概ね中間点に接続され、上記分割モータ相巻線から転送された交流（ＡＣ）電力を受電し、ＡＣ電力を直流（ＤＣ）電源に変換するＤＣ電源を提供することと、
上記分割モータ相巻線と上記ＤＣ電源との間の電流経路の外側に設けられ、上記分割モータ相巻線の少なくとも概ね中間点に接続された少なくとも１つの電源スイッチを備え、上記分割モータ相巻線からのＡＣ電力を受電する電源スイッチ回路を提供することと、
上記分割モータ相巻線の少なくとも概ね中間点に接続され、上記ＤＣ電源からＤＣ電力を受電して上記電源スイッチを制御するモータコントローラを提供することと、
上記ＤＣ電源に並列に接続され、少なくとも１つの電源スイッチがオンして導通状態であるときに上記ＤＣ電源が破壊することを防止する複数の非破壊ＤＣ電源素子を提供することとを備える方法。
【請求項６０】
上記各非破壊ＤＣ電源素子は前記ＤＣ電源に直接に又は間接的に接続される請求項５９に記載の方法。